(57)【要約】【課題】ノート型パソコンにおいて、操作に十分な画面面積を確保すると共に、様々なニーズに答える入力方法を実現すること。【解決手段】モニタ画面を備えたモニタ面体１０と、キーボードを備えたキーボード面体１２とが回転軸部を介して開閉自在に連結され、使用時には両面体を開いてモニタ画面を見ながらキーボード操作を可能にする一方、収納時には両面体を対向させて略板体に折りたたみ可能なノート型パソコンにおいて、モニタ面体１０を奥方に所定の角度で正立させ、キーボード１３を手前に配置したときに、モニタ画面１１の縦長さが、横長さよりも長く形成されると共に、キーボード面体１２に、文字入力用のキーボード１３と、その手前にキーボードと略同一又はそれ以上の幅を有する描画用タブレット１５などの第２入力手段を備え、キーボード１３と第２入力手段を同時に使用可能にする。【選択図】図１
0003152976.tif 000002
【実用新案登録請求の範囲】
【請求項１】
モニタ画面を備えたモニタ面体と、キーボードを備えたキーボード面体とが回転軸部を介して開閉自在に連結され、使用時には両面体を開いてモニタ画面を見ながらキーボード操作を可能にする一方、収納時には両面体を対向させて略板体に折りたたみ可能なノート型パソコンにおいて、
該モニタ面体を奥方に所定の角度で正立させ、該キーボードを手前に配置したときに、
該モニタ画面の縦長さが、横長さよりも長く形成されると共に、
該キーボード面体に、文字入力用の該キーボードと、その手前に該キーボードと略同一又はそれ以上の幅を有する第２入力手段を備え、
該キーボード及び該第２入力手段を同時に使用可能にした
ことを特徴とするノート型パソコン。
【請求項２】
前記第２入力手段が、描画用ペンタブレットである
請求項１に記載のノート型パソコン。
【請求項３】
前記第２入力手段が、楽器の演奏操作部を模して形成される
請求項１に記載のノート型パソコン。
【請求項４】
前記楽器が鍵盤楽器であって、前記演奏操作部として少なくとも複数の黒鍵及び白鍵を横方向に配列してなる
請求項３に記載のノート型パソコン。
【請求項５】
前記第２入力手段が、可動部材からなる少なくとも１つのターンテーブルとミキサーである
請求項１に記載のノート型パソコン。
【請求項６】
前記第２入力手段が、前記キーボードと同一の第２キーボードであって、
前記モニタ画面には、該キーボードに対応する画面を上部に、該第２キーボードに対応する画面を下部に表示する
請求項１に記載のノート型パソコン。
【考案の詳細な説明】
【技術分野】
【０００１】
本考案は、ノート型パソコンの形状に関し、特に縦長画面を備えると共にキーボードの他に第２の入力手段を備える構成に係る。
【背景技術】
【０００２】
従来から図５に示すように横方向に長い画面を有するノート型パソコンが知られている。このようなノート型パソコンは、折りたたみ時に対向するキーボードが一般的に横長であること、小型の画面で横書きの文書が表示しやすいことから広く普及している。
【０００３】
しかし、近年液晶モニタの生産技術が向上し、大画面の液晶モニタでも安価に製造できることや、コンピュータの用途が多様化し、さまざまなニーズが生じていることから、従来の画面サイズ、入力装置の組み合わせでは十分に対応しきれない場合があった。
【０００４】
表示モニタや入力手段を一般的なノート型パソコンから発展させた例として特許文献１ないし９の技術が知られている。
まず特許文献１ないし３では２つの表示画面を備えたパソコンが開示されている。各文献に示されるように、表示内容によって区分したり、表示面を拡張するために２つ以上の表示画面を備える技術が知られている。
しかし、これらの技術は表示機能の充実を図るものであり、多様な入力方法を提供しうるものではない。
【０００５】
特許文献４、５にはキーボードとペンタブレットが回転して切り替え使用できるようにしたり、文字を手書き入力するために小型のペンタブレットを設ける構成が開示されている。
しかし、モニタ画面に従来の横長の物を用いる制約上、キーボードとペンタブレットを択一的に使用する構造にしたり、ペンタブレットをごく小さく配置しなければならず、文字入力を通常通りに行いながら実用的な描画面積を有するペンタブレットを配置することができない。
【０００６】
特許文献６、７には音楽用キーボードをキーボードと共に設ける構成が開示されている。
しかし、モニタ画面の制約がなく、独立したキーボード装置に音楽用キーボードを単に統合して配置することは格別の困難性はなく、本考案が目的とするノート型パソコンにそのまま適用しうる技術ではない。
【０００７】
特許文献８には液晶パネル上にターンテーブルとミキサーを表示させて操作可能とし、音楽編集などに用いる技術が開示されている。
しかし、液晶モニタに表示する構成では操作性が悪く、ゲーム等としての利用は考えられても、実際の業務用途に耐えるものではない。また、液晶モニタの場合には大きさの拡縮が自在であり液晶モニタの大きさに合わせて適宜表示させればよいが、実際に操作可能なハードウェアを設ける場合には操作性よく配置するために十分なスペースを要し、従来のノート型パソコンに配置することは難しい。
【０００８】
特許文献９には、パソコンのキーボードと携帯電話用のキーボードを上下に配置することが記載されている。
このように配置すれば、２つの用途にそれぞれ専用のキーボードを用いられる利点はあるが、汎用性に乏しい欠点がある。
【先行技術文献】
【特許文献】
【０００９】
【特許文献１】特開２００４−２４６８４７号公報
【特許文献２】特開平６−３５５６７号公報
【特許文献３】実開平５−４８０１８号公報
【特許文献４】特開２００６−２８５４０７号公報
【特許文献５】特開平１１−３０５８９９号公報
【特許文献６】実開昭６０−１８００３７号公報
【特許文献７】特表２００３−５２８３８５号公報
【特許文献８】特開２００６−５３６２９号公報
【特許文献９】特開２００１−３１３７０５号公報
【考案の概要】
【考案が解決しようとする課題】
【００１０】
本考案は上記の従来技術に鑑みて創出されたものであり、その目的はノート型パソコンにおいて、操作に十分な画面面積を確保すると共に、様々なニーズに答える入力方法を実現することである。
【課題を解決するための手段】
【００１１】
本考案は上記課題を解決するために次のような手段を用いる。
まず、本考案を実施するノート型パソコンは、モニタ画面を備えたモニタ面体と、キーボードを備えたキーボード面体とが回転軸部を介して開閉自在に連結され、使用時には両面体を開いてモニタ画面を見ながらキーボード操作を可能にする一方、収納時には両面体を対向させて略板体に折りたたみ可能な周知のノート型パソコンの構造を備えている。
そして、モニタ面体を奥方に所定の角度で正立させ、キーボードを手前に配置したときに、モニタ画面の縦長さが、横長さよりも長く形成されると共に、キーボード面体に、文字入力用のキーボードと、その手前にキーボードと略同一又はそれ以上の幅を有する第２入力手段を備える。
キーボードと第２入力手段は排他することなく、それぞれ独立して動作しうるので、両者は同時に使用可能である。
【００１２】
上記の第２入力手段が、描画用ペンタブレットであってもよい。このときの描画用ペンタブレットもキーボードと少なくとも同一以上の幅を有することができる。
【００１３】
上記の第２入力手段が、楽器の演奏操作部を模して形成される構成でもよい。
ここで、楽器が鍵盤楽器であって、演奏操作部として少なくとも複数の黒鍵及び白鍵を横方向に配列してなる音楽鍵盤を備えることもできる。
【００１４】
上記の第２入力手段が、可動部材からなる少なくとも１つのターンテーブルとミキサーである構成でもよい。可動部材を備えることで十分な操作性を確保する。
【００１５】
上記の第２入力手段が、キーボードと同一の第２キーボードであって、モニタ画面には、キーボードに対応する画面を上部に、第２キーボードに対応する画面を下部に表示する構成でもよい。
【考案の効果】
【００１６】
本考案によれば、キーボードの幅と略同一かそれ以上の十分な大きさの第２入力手段を設けることにより、様々な用途に対応しうるノート型パソコンを提供することができる。
このような構成を実現するために、従来一般的であった横長のモニタ画面ではなく、縦型のモニタ画面とすることで、表示面積を十分に広くすることができ、各機器が均整良く配置されたノート型パソコンを提供することができる。
【図面の簡単な説明】
【００１７】
【図１】本考案の第１の実施形態を示す斜視図である。
【図２】本考案の第２の実施形態を示す斜視図である。
【図３】本考案の第３の実施形態を示す斜視図である。
【図４】本考案の第４の実施形態を示す斜視図である。
【図５】従来技術を示す斜視図である。
【考案を実施するための形態】
【００１８】
以下、本考案の実施形態を図に示して説明する。なお、以下に示す実施例は請求項記載の範囲において適宜変更することができる。
本考案はノート型パソコンとして提供されるものである。図５は従来のノート型パソコン（５）の一例であり、モニタ画面である液晶パネル（５１）を備えたモニタ面体（５０）と、キーボード（５３）を備えたキーボード面体（５２）とから構成される。モニタ面体（５０）とキーボード面体（５２）は蝶番で接続され、開閉可能となっている。使用時には図示のように所定状態までモニタ面体（５０）を開いてキーボード（５３）を操作し、持ち運び時などには、モニタ面体（５０）を回転してキーボード（５３）と対向させて収納する。
【００１９】
キーボード（５３）の手前中央にはマウス操作を行うタッチパッド（５４）が備えられており、指先でタッチパッド（５４）をなぞることで画面上のマウスが動く。タッチパッド（５４）周辺にはマウスのクリック操作を行うボタンが設けられていることが一般的である。
【００２０】
タッチパッド（５４）の両側にはキー入力時に掌を置くためのパームレストスペース（５５）（５５）が配置され、ＱＷＥＲＴＹ型キーボードの一般的な入力姿勢である、Ｆキーに左手の人差し指、Ｊキーに右手の人差し指を置いたときに、楽な姿勢となるように配慮されている。
【００２１】
キーボード（５３）の裏側にはノート型パソコン（５）のＣＰＵやメモリを備えた回路基盤、電源装置、ハードディスク装置、ＣＤ・ＤＶＤドライブ装置などが配設されており、パソコンの諸機能を実現している。本構成は周知であるから説明を省略する。
【００２２】
一方モニタ面体（５０）には液晶パネルを配置して背面の蛍光管等で発光させ画面表示を行っている。モニタ面体（５０）とキーボード面体（５２）とは内設されるケーブルで接続される。ノート型パソコン（５）の種類により、スピーカやカメラ、特定の機能を付与したボタンをモニタ面体（５０）に備えるものもある。
【００２３】
（実施例１）
以上のような公知のノート型パソコン（５）において、本考案は次のような特徴を持つことによりノート型パソコン（５）における作業性を向上させ、その用途を拡大するものである。
図１は本考案の第１の実施例に係るノート型パソコン（１）（以下、本ＰＣ）の斜視図である。本ＰＣ（１）において、液晶パネル（１１）を備えたモニタ面体（１０）と、キーボード（１３）を設けたキーボード面体（１２）とは略同一の面積を有して構成され、図示の使用状態から、モニタ面体（１０）を畳むことで収納可能である。
【００２４】
そして、キーボード面体（１２）には、その奥方にキーボード（１３）と、その手前中央にタッチパッド（１４）、タッチパッド（１４）両側にパームレストスペース（１６）（１６）が配置される。
さらに、タッチパッド（１４）の手前に、第２入力手段である描画用ペンタブレット（１５）を配設している。
【００２５】
キーボード（１３）はＱＷＥＲＴＹ型の文字入力が可能な一般的なキーボードを備えるが、文字入力が可能であれば配列は問わない。ただし、入力の便宜のために、少なくとも全アルファベットに対応するキー数を最低数とし、それ以下のキー数のキーボードは含まない。
【００２６】
描画用ペンタブレット（１５）は専用ペン（１７）によって表面をなぞることでマウス操作を行うものであり、主に手書きで画像の入力作業を行う用途に用いられている。種類によって、筆圧の感知機能を備えるものも公知である。このような描画用タブレットは従来、据え置き型のパソコンと接続し、アトリエなどの環境で用いられることが多かったが、本考案によれば自由に持ち運びのできるノート型パソコンに実装することができるので、可搬性に優れる。
【００２７】
また、従来技術でもタッチパッド（１４）や、文字入力用のタブレットなど小型のタブレットを設ける構成は知られているが、これらのタブレットでは図形の描画は行えないか、適さない。そこで本考案の描画用ペンタブレット（１５）は、キーボード（１３）と略同一の幅以上の幅を有している。上述した通り、キーボード（１３）は十分なキー数を備えているため、これと同一以上の幅とすることで、描画にも十分なスペースが確保される。
【００２８】
図示の通り奥行き方向の寸法についても、キーボード（１３）と略同一以上の長さとすることが望ましい。広さを十分にとることで、作業性の向上を図ることができる。
【００２９】
なお、本構成においてタッチパッド（１４）は必ずしも設けなくともよい。すなわち、描画用ペンタブレット（１５）においてマウス操作を行うこともできるのでタッチパッド（１４）を省略することもできる。
この場合、描画用ペンタブレット（１５）はペン（１７）による操作に限らず、指先による操作も可能であることが好ましい。
【００３０】
さらに、図示しないＣＰＵにおいて、操作切替処理部を設けて、描画用ペンタブレットとしての動作と、タッチパッドとしての動作を自動的に切り替えられるように構成してもよい。
すなわち、例えば描画用ペンタブレット（１５）において、手の接触面積が所定の面積以上に広い場合や、２カ所で同時に接触している場合に、掌が置かれていると判定して、タッチバッド動作に切り替える。このときには、従来のタッチパッド程度の領域だけを感知し、マウス動作を行えるようにする。マウスカーソルの移動が通常のタッチパッドのように、操作に合わせて移動先のカーソル位置からさらに操作量だけ移動する相対移動動作となるように変更してもよい。
【００３１】
一方、手が描画用ペンタブレット（１５）から離れているとき（所定の面積以下しか接触していないとき）や、ペン（１７）が接触しているときには、描画用タブレットとして動作し、全面の感知を行う。また、描画用ペンタブレット（１５）上の位置と、画面上の位置を対応させて接触位置に応じた位置にマウスが移動する絶対移動動作となるように変更してもよい。
【００３２】
上記のようにキーボード（１３）と描画用ペンタブレット（１５）とを設けた場合、従来のノート型パソコンよりも縦方向の長さが長くなる。この点、本考案ではモニタ面体（１０）の液晶パネル（１１）の縦長さを横長さよりも長くすることで、スペースの有効な利用と、モニタ面体（１０）の剛性の均一化を図っている。
【００３３】
近年、液晶パネル（１１）の大画面化が容易となり、大きな液晶パネルを用いても高価格化は避けられる。また、多くの文書作業において用紙の向きに合わせて縦方向の画面が求められており、本考案では入力方法の多様化と同時にこのような需要にも応えることができる。
特に、第２入力手段が求められる用途のノート型パソコンでは、第２入力手段による作業内容と、キーボードによる作業内容とを平行して行うことが多く、縦に２分割して画面表示を行いやすい本構成は特に効果的である。
【００３４】
（実施例２）
本考案の第２の実施例を図２に示す。図２のノート型パソコン（２）（以下、本ＰＣ）も図１と同様に縦長さが横長さよりも長い液晶パネル（２１）を備えたモニタ面体（２０）と、キーボード面体（２２）とからなる。
キーボード面体（２２）には、キーボード（２３）、タッチパッド（２４）、パームレストスペース（２６）（２６）の手前に、楽器の演奏操作部を備える。楽器としては、電子ピアノ、キーボードインストルメント、バイオリンやギターなどの弦楽器を模した電子弦楽器、電子ドラムなど、任意の楽器を用いることができる。
【００３５】
ここでは、電子ピアノやキーボードインストルメントの鍵盤楽器を例として説明する。演奏操作部として鍵盤部（２５）を備え、公知のように白鍵（２５ａ）と黒鍵（２５ｂ）とが横方向に配列されている。
【００３６】
従来から、外付けのキーボードにおいてこれらの構成を備えるものはあったが、ノート型パソコンに備えるにはスペースの配置上、問題があり、提供されてこなかった。本考案では、縦長の液晶パネル（２１）を採用してノート型パソコン全体を縦長に構成することでこの問題を解決している。
【００３７】
本考案では、特に白鍵（２５ａ）・黒鍵（２５ｂ）共に実際に押下して変位する可動機構を備えることが好ましい。本構成は、単にタッチパネル表示器に鍵盤を表示して操作するのと異なり、実機に近い操作性を実現することができる。なお、黒鍵（２５ｂ）が収納時に画面と接触する場合には、そのまま押下した状態で収納する構成でもよいし、リンク機構を設けて、モニタ面体（２０）の回転に伴って黒鍵（２５ｂ）の高さが白鍵面と同程度まで下がるように構成してもよい。
【００３８】
本ＰＣ（２）では、楽譜の入力用などに鍵盤部（２５）を用いることが好適であるが、液晶パネル（２１）上において、上部には楽譜や音符のパラメータ、メモ、題名など文字や数字を入力するための操作画面を表示し、下部には楽譜を表示することで、キーボード（２３）による入力画面と、鍵盤部（２５）による入力画面とをそれぞれ対応させることも好ましい。
【００３９】
（実施例３）
本考案の第３の実施例を図３に示す。図３のノート型パソコン（３）も図１と同様に縦長さが横長さよりも長い液晶パネル（３１）を備えたモニタ面体（３０）と、キーボード面体（３２）とからなる。
キーボード面体（３２）には、キーボード（３３）、タッチパッド（３４）、パームレストスペース（３８）（３８）の手前に、ミキサーの操作部を備える。
【００４０】
ミキサーは複数の音声や映像などを調整する装置であり、各信号を変化・調整するためのターンテーブル（３５）やレバー（３６）、ボリューム（３７）などを備える。
本考案では、これらの操作部を実際に可動する可動部材で構成する。これにより単にタッチパネル表示器に鍵盤を表示して操作するのと異なり、実機に近い操作性を実現することができる。
【００４１】
本構成でも、ミキシングソフトウェアの画面表示と関連づけ、文字や数字を入力したり、ソフトウェアの操作に係る表示を画面上部に、ミキサーによって操作する表示を画面下部に表示するようにしてもよい。
【００４２】
（実施例４）
本考案の第４の実施例を図４に示す。図４のノート型パソコン（４）も図１と同様に縦長さが横長さよりも長い液晶パネル（４１）を備えたモニタ面体（４０）と、キーボード面体（４２）とからなる。
キーボード面体（４２）には、キーボード（４３）、タッチパッド（４４）、パームレストスペース（４７）（４７）の手前に、第２キーボード（４５）、第２タッチパッド（４６）を備える。第２タッチパッドの両側には第２パームレストスペース（４８）を設ける。
【００４３】
第２キーボード（４５）も、キーボード（４３）と同じく、例えばＱＷＥＲＴＹ型のキーボードなど、アルファベットの文字数以上のキーを有するキーボードであって、単に特定の機能だけを付与した補助用のキーボードではない。
なお、タッチパッドは２つ設けてもよいし、第２キーボード（４５）の下方に１基だけでもよい。ただし、操作性を向上させるために、パームレストスペース（４７）（４７）を設けることが好ましい。
【００４４】
本構成の特徴として、液晶パネル（４１）の上下を２つに分割した画面（
４１ａ）（４１ｂ）表示を可能とする。ハードウェアとして分割してもよいし、ＣＰＵの作用によって、上下に分割して表示する構成でもよい。
そして、上部画面（４１ａ）を操作する場合には上のキーボード（４３）を用い、下部画面（４１ｂ）を操作する場合には下の第２キーボード（４５）を用いるようにする。
【００４５】
このとき、キーボード（４３）を操作した場合には、自動的に上部画面が動作状態となり、第２キーボード（４５）を操作すると、自動的に下部画面が動作状態となるように切り替え処理すると好適である。
さらに、上部画面（４１ａ）の処理中は第２キーボード（４５）の入力をキャンセルするように制御してもよい。そして、タッチパッドなどで下部画面（４１ｂ）を選択すると、第２キーボード（４５）の入力が可能となるようにする。これにより、キーボード（４３）の操作中に、誤って第２画面の操作に切り替わってしまうことを防ぐこともできる。
【符号の説明】
【００４６】
１    ノート型パソコン
１０    モニタ面体
１１    液晶パネル
１２    キーボード面体
１３    キーボード
１４    タッチパッド
１５    描画用タブレット
１６    パームレストスペース
１７    ペン
【図１】
0003152976.tif 000003
【図２】
0003152976.tif 000004
【図３】
0003152976.tif 000005
【図４】
0003152976.tif 000006
【図５】
0003152976.tif 000007